(57)【要約】【課題】良好な均一画面を確保し、かつ、輝度の低下を少なくするＬＥＤ表示システムの提供を目的とする。【解決手段】ＬＥＤ表示システムは、ＬＥＤ表示装置とＬＥＤ表示装置に映像データを出力する制御装置とを備える。ＬＥＤ表示装置は、映像データ入力部と複数のＬＥＤからなるＬＥＤ表示部とを含む。制御装置は、映像信号入力部と複数の第１補正係数を記憶する第１補正係数記憶部とを含む。複数の第１補正係数は、ＬＥＤ表示部をなす各ＬＥＤの輝度特性が均一化されるよう設定される。制御装置は、各第１補正係数を用いて各ＬＥＤの輝度を補正する第１輝度補正部と、１画面における最大輝度が所定値を超えないように補正するための第２補正係数を算出する第２補正係数演算部と、第２補正係数を用いて各ＬＥＤの各輝度を補正する第２輝度補正部と、補正された映像データをＬＥＤ表示装置に出力する映像データ出力部とをさらに含む。【選択図】図１
2018194693.tif 000002
【特許請求の範囲】
【請求項１】
１画面をなす１以上のＬＥＤ表示装置と、
前記ＬＥＤ表示装置に映像データを出力する制御装置と、を備え、
前記ＬＥＤ表示装置は、
前記映像データを入力する映像データ入力部と、
複数のＬＥＤからなり、前記映像データ入力部にて入力される前記映像データに基づく映像を表示するＬＥＤ表示部と、を含み
前記制御装置は、
映像信号を入力する映像信号入力部と、
前記ＬＥＤ表示装置の前記ＬＥＤ表示部をなす前記複数のＬＥＤの各々の輝度特性に基づく複数の第１補正係数を記憶する第１補正係数記憶部と、を含み、
前記複数の第１補正係数は、前記ＬＥＤ表示部において、各前記ＬＥＤの前記輝度特性が均一化されるよう設定されており、
前記制御装置は、
前記映像信号入力部から入力される前記映像信号に基づく各前記ＬＥＤの輝度を、前記第１補正係数記憶部に記憶されている各前記第１補正係数を用いて１フレームごとに補正する第１輝度補正部と、
前記第１輝度補正部にて補正される前記複数のＬＥＤの前記１画面における最大輝度が所定値を超えないように補正するための第２補正係数を１フレームごとに算出する第２補正係数演算部と、
前記１画面をなす各前記ＬＥＤの各前記輝度を、前記第２補正係数を用いて１フレームごとに補正する第２輝度補正部と、
前記第２輝度補正部にて各前記ＬＥＤの前記輝度が補正される前記映像信号を、前記ＬＥＤ表示装置の前記映像データ入力部に、前記映像データとして出力する映像データ出力部と、をさらに含むＬＥＤ表示システム。
【請求項２】
前記制御装置の前記第２補正係数演算部は、
前記第１輝度補正部にて補正される前記複数のＬＥＤの前記１画面における最大輝度を１フレームごとに算出する最大輝度算出部と、
前記最大輝度が所定値を超えるか否かを１フレームごとに判定する判定部と、
前記判定部の判定結果に基づき、前記最大輝度と前記所定値とに基づく第２補正係数を１フレームごとに設定する第２補正係数設定部と、を含む請求項１に記載のＬＥＤ表示システム。
【請求項３】
前記ＬＥＤ表示装置は、
前記ＬＥＤ表示部をなす前記複数のＬＥＤの各々が有する前記輝度特性が均一化されるよう設定される前記複数の第１補正係数を格納する第１補正係数格納部と、
前記制御装置と通信する第１通信制御部と、をさらに含み、
前記制御装置は、
前記ＬＥＤ表示装置の前記第１通信制御部と通信する第２通信制御部をさらに含み、
前記第１補正係数記憶部は、
前記ＬＥＤ表示装置の前記第１通信制御部から送信され前記第２通信制御部にて受信される前記複数の第１補正係数を記憶する請求項１または請求項２に記載のＬＥＤ表示システム。
【請求項４】
前記ＬＥＤ表示装置は、
一意に識別可能な固有の第１識別情報を格納する識別情報格納部をさらに含み、
前記制御装置は、
前記ＬＥＤ表示装置に関連付けられ一意に識別可能な固有の第２識別情報を記憶する識別情報記憶部と、
前記ＬＥＤ表示装置の前記第１通信制御部から送信され前記第２通信制御部にて受信する前記第１識別情報と、前記識別情報記憶部に記憶されている前記第２識別情報とが一致するか否かを照合する照合部と、をさらに含み、
前記第１補正係数記憶部は、
前記照合部の照合結果に基づき、前記ＬＥＤ表示装置の前記第１通信制御部から送信され前記第２通信制御部にて受信される前記複数の第１補正係数を記憶する請求項３に記載のＬＥＤ表示システム。
【請求項５】
前記１画面をなす１以上のＬＥＤ表示装置は、各々がマトリクス状に配列されて前記１画面をなす複数の前記ＬＥＤ表示装置であり、
前記制御装置は、
前記複数のＬＥＤ表示装置に前記映像データを出力する請求項１から請求項４のいずれか一項に記載のＬＥＤ表示システム。
【請求項６】
１画面をなす１以上のＬＥＤ表示装置と制御装置とを含むＬＥＤ表示システムを構成する一のＬＥＤ表示装置であって、
前記制御装置から出力される映像データを入力する映像データ入力部と、
複数のＬＥＤからなり、前記映像データ入力部に入力される前記映像データに基づく映像を表示するＬＥＤ表示部と、を備え、
前記映像データ入力部は、
前記制御装置によって、前記ＬＥＤ表示部をなす前記複数のＬＥＤの各々の輝度特性が均一化されるよう設定される複数の補正係数を用いて、前記制御装置に入力される映像信号に基づく前記複数のＬＥＤの輝度が１フレームごとに補正され、かつ、前記複数の補正係数を用いて補正された前記１画面における前記複数のＬＥＤの最大輝度が所定値を超えないように前記映像信号に基づく前記複数のＬＥＤの輝度が１フレームごとにさらに補正されて出力される前記映像データを入力するＬＥＤ表示装置。
【請求項７】
前記ＬＥＤ表示部をなす前記複数のＬＥＤの各々が有する前記輝度特性が均一化されるよう設定される前記複数の補正係数を格納する補正係数格納部と、
前記補正係数格納部に格納されている前記複数の補正係数を前記制御装置に送信する通信制御部と、をさらに備え、
前記映像データ入力部は、
前記制御装置によって、前記ＬＥＤ表示装置の前記通信制御部から送信される前記複数の補正係数を用いて、前記制御装置に入力される映像信号に基づく前記複数のＬＥＤの輝度が１フレームごとに補正され、かつ、前記複数の補正係数を用いて補正された前記１画面における前記複数のＬＥＤの最大輝度が所定値を超えないように前記映像信号に基づく前記複数のＬＥＤの輝度が１フレームごとにさらに補正されて出力される前記映像データを入力する請求項６に記載のＬＥＤ表示装置。
【請求項８】
一意に識別可能な固有の識別情報を格納する識別情報格納部、をさらに備え、
前記通信制御部は、前記識別情報格納部に格納されている前記識別情報と前記制御装置に記憶されている識別情報との照合結果に基づき、前記補正係数格納部に格納されている前記複数の補正係数を前記制御装置に送信する請求項７に記載のＬＥＤ表示装置。
【発明の詳細な説明】
【技術分野】
【０００１】
本発明は、複数のＬＥＤ（Ｌｉｇｈｔ  Ｅｍｉｔｔｉｎｇ  Ｄｉｏｄｅ：発光ダイオード）をマトリクス状に配置し、個々のＬＥＤに対する点滅制御により映像情報を表示するＬＥＤ表示装置に係り、特にＬＥＤの輝度制御技術に関するものである。
【背景技術】
【０００２】
ＬＥＤを用いて構成される表示装置は、ＬＥＤの技術発展と低コスト化により屋外、屋内の広告表示等に多く使用されている。これらのＬＥＤ表示装置はこれまで自然画およびアニメーションの動画像表示が主であったが、屋内用途においては画素ピッチの狭ピッチ化に伴い視認距離が短くなることで、会議室や監視用途などにも使用されている。特に監視用途においては静止画に近いパソコン画像を表示することが多くなっている。
【０００３】
これらＬＥＤ表示装置においては、各ＬＥＤ素子の輝度特性の違いによる表示面全体の輝度ムラを無くす為に、各ＬＥＤ素子の輝度を画素毎に輝度補正係数を用いて補正することにより、表示面の輝度特性の均一化がなされている（例えば、特許文献１）。
【先行技術文献】
【特許文献】
【０００４】
【特許文献１】特開平１１−１５４３７号公報
【発明の概要】
【発明が解決しようとする課題】
【０００５】
ＬＥＤ素子の輝度性能のばらつきが大きく、画面を構成する一部のＬＥＤ素子が目標の輝度で発光することができない場合、表示映像の明るいシーンなどで輝度の均一性が得られなくなる。このため良好な均一画面を確保するためには目標の輝度を低く設定する必要がある。この場合、一部の暗いＬＥＤ素子のために画面全体が暗くなってしまうという問題がある。
【０００６】
本発明は、良好な均一画面を確保し、かつ、輝度の低下を少なくするＬＥＤ表示システムの提供を目的とする。
【課題を解決するための手段】
【０００７】
本発明に係るＬＥＤ表示システムは、１画面をなす１以上のＬＥＤ表示装置と、ＬＥＤ表示装置に映像データを出力する制御装置と、を備える。ＬＥＤ表示装置は、映像データを入力する映像データ入力部と、複数のＬＥＤからなり、映像データ入力部にて入力される映像データに基づく映像を表示するＬＥＤ表示部と、を含む。制御装置は、映像信号を入力する映像信号入力部と、ＬＥＤ表示装置のＬＥＤ表示部をなす複数のＬＥＤの各々の輝度特性に基づく複数の第１補正係数を記憶する第１補正係数記憶部と、を含む。複数の第１補正係数は、ＬＥＤ表示部において、各ＬＥＤの輝度特性が均一化されるよう設定されている。制御装置は、映像信号入力部から入力される映像信号に基づく各ＬＥＤの輝度を、第１補正係数記憶部に記憶されている各第１補正係数を用いて１フレームごとに補正する第１輝度補正部と、第１輝度補正部にて補正される複数のＬＥＤの輝度の１画面における最大輝度が所定値を超えないように補正するための第２補正係数を１フレームごとに算出する第２補正係数演算部と、１画面をなす各ＬＥＤの各輝度を、第２補正係数を用いて１フレームごとに補正する第２輝度補正部と、第２輝度補正部にて各ＬＥＤの輝度が補正される映像信号を、ＬＥＤ表示装置の映像データ入力部に、映像データとして出力する映像データ出力部と、をさらに含む。
【発明の効果】
【０００８】
本発明によれば、良好な均一画面を確保し、かつ、輝度の低下を少なくするＬＥＤ表示システムの提供が可能である。
【図面の簡単な説明】
【０００９】
【図１】実施の形態１におけるＬＥＤ表示システムの構成を示す図である。
【図２】実施の形態１におけるＬＥＤ表示装置の構成を示すブロック図である。
【図３】実施の形態１におけるＬＥＤ表示装置の処理回路の一例を示す図である。
【図４】実施の形態１における制御装置の構成を示すブロック図である。
【図５】実施の形態１における制御装置の処理回路の一例を示す図である。
【図６】実施の形態１における輝度補正方法を示すフローチャートである。
【図７】実施の形態１における第２補正係数の演算方法を示すフローチャートである。
【図８】実施の形態２におけるＬＥＤ表示装置の構成を示すブロック図である。
【図９】実施の形態２における制御装置の構成を示すブロック図である。
【図１０】実施の形態２における第２補正係数の更新方法を示すフローチャートである。
【発明を実施するための形態】
【００１０】
本発明に係るＬＥＤ表示システムおよびＬＥＤ表示装置の実施の形態を説明する。
【００１１】
＜実施の形態１＞
図１は、本実施の形態１におけるＬＥＤ表示システムの構成を示す図である。ＬＥＤ表示システムは、複数のＬＥＤ表示装置１００がマトリクス状に配列されてなる１画面Ａを有する。本実施の形態１においては、水平方向に６ユニット、垂直方向に６ユニットのＬＥＤ表示装置１００が配列されており、ＬＥＤ表示システムの１画面Ａは、合計６ｘ６＝３６ユニットのＬＥＤ表示装置１００により構成されている。１台のＬＥＤ表示装置１００は水平３２０画素および垂直１８０画素を有し、ＬＥＤ表示システムは、３６台のＬＥＤ表示装置１００により、１画面ＡにＦｕｌｌＨＤ（１９２０ｘ１０８０画素）の映像を表示する。制御装置２００は、ＬＥＤ表示装置１００への映像データの配信、通信制御を行うユニットである。
【００１２】
各ＬＥＤ表示装置１００には、制御装置２００が個別にＬＥＤ表示装置１００を制御するためのＩＤ番号が設定されている。図１に示す例では、３６台のＬＥＤ表示装置１００のそれぞれにＩＤ＝１〜３６が設定されている。
【００１３】
また、それら３６台のＬＥＤ表示装置１００は、ＩＤ＝１〜１２、ＩＤ＝１３〜２４、ＩＤ＝２５〜３６の３つのグループに分割されている。各グループに属する各ＬＥＤ表示装置１００はデイジーチェーン接続されており、ＩＤ＝６、ＩＤ＝１８、ＩＤ＝３０の３台のＬＥＤ表示装置１００が制御装置２００に接続される。制御装置２００は、各グループに属する各ＬＥＤ表示装置１００に映像データおよび制御信号を送信する。
【００１４】
図２は、本実施の形態１におけるＬＥＤ表示装置１００の構成を示す内部ブロック図である。ＬＥＤ表示装置１００は、映像データ入力部２、映像データ処理部３、駆動部４、ＬＥＤ表示部５、第１補正係数格納部８、通信端子６、第１通信制御部７を備えている。
【００１５】
映像データ入力部２は、制御装置２００から映像データを入力する。映像データ入力部２は、例えば、映像データを入力信号として入力する入力端子である。
【００１６】
映像データ処理部３は、映像データ入力部２に入力された映像データから表示に必要な領域の選択処理を行う。
【００１７】
駆動部４は、映像データ処理部３にて処理された映像データに基づきＬＥＤ表示部５をＰＷＭ駆動する。駆動部４は、例えば駆動回路である。
【００１８】
ＬＥＤ表示部５は、マトリクス状に配置された複数の画素５０を有する。ここでは、ＬＥＤ表示部５は、水平方向に３２０画素、垂直方向に１８０画素を有する。また、１つの画素５０は、赤（Ｒ）、緑（Ｇ）、青（Ｂ）の３個のＬＥＤ１を含む。ＬＥＤ表示部５は、映像データ入力部２に入力される映像データに基づく映像を表示する。
【００１９】
第１補正係数格納部８は、複数のＬＥＤ１の各々に対応する複数の第１補正係数を記憶する。複数の第１補正係数は、詳細は後述するが、ＬＥＤ表示部５をなす各ＬＥＤ１の輝度特性が均一化されるよう設定されている。
【００２０】
通信端子６は、制御装置２００との間で通信する信号または情報を入出力する。例えば、通信端子６は、制御装置２００から制御信号を入力する。または、通信端子６は、制御装置２００に第１補正係数を出力する。
【００２１】
第１通信制御部７は、制御装置２００との通信を制御する。第１通信制御部７は、後述する制御装置２００から通信端子６を介して制御信号を受信する。第１通信制御部７は、その制御信号に基づいて、第１補正係数格納部８に格納されている複数の第１補正係数を、通信端子６を介して制御装置２００に送信する。
【００２２】
図３はＬＥＤ表示装置１００が備える処理回路３０の一例を示す。処理回路３０は、互いが接続されたプロセッサー３１とメモリ３２とを含む。プロセッサー３１は、例えば、ＣＰＵである。メモリ３２は、例えば、ＲＡＭなどの一時記憶メモリまたはＨＤＤなどの不揮発性メモリを含む。プロセッサー３１は第１通信制御部７の機能を実現し、メモリ３２は第１補正係数格納部８の機能を実現する。
【００２３】
例えば、処理回路３０は、制御装置２００から送信される制御信号を入力インターフェース３３に入力する。処理回路３０は、その制御信号に基づいて、メモリ３２に記憶されている複数の第１補正係数を出力インターフェース３４に出力する。入力インターフェース３３および出力インターフェース３４は、例えば上記の通信端子６である。
【００２４】
第１通信制御部７および第１補正係数格納部８の各機能はプログラムとして記述され、そのプログラムはメモリ３２に格納される。プロセッサー３１が、メモリ３２に格納されたそのプログラムを読み出して実行する。これにより、上述した第１通信制御部７および第１補正係数格納部８の各機能が実現される。処理回路３０は、１つ以上の専用ハードウェアにより実現しても良いし、一部を専用ハードウェアで実現し、他の一部をソフトウェアにより実現しても良い。
【００２５】
図４は、本実施の形態１における制御装置２００の構成を示す内部ブロック図である。制御装置２００は、映像信号入力部１０、第１補正係数記憶部２３、第１輝度補正部１１、フレームメモリ１２、第２補正係数演算部２４、第２輝度補正部１３、映像信号分割転送部１５、映像データ出力部１６、制御通信端子２０、第２通信制御部２５および外部制御端子１９を備えている。
【００２６】
映像信号入力部１０は、外部より映像信号を入力する。映像信号入力部１０は、例えば、映像信号を入力する入力端子である。
【００２７】
第１補正係数記憶部２３は、制御装置２００に接続される上記の各ＬＥＤ表示装置１００のＬＥＤ表示部５をなす全てのＬＥＤ１に対応する複数の第１補正係数を記憶する。
【００２８】
第１輝度補正部１１は、映像信号入力部１０に入力される映像信号に基づく各ＬＥＤ１の輝度を、第１補正係数記憶部２３に記憶されている各第１補正係数を用いて１フレームごとに補正する。すなわち、第１輝度補正部１１は、映像信号の輝度を画素単位またはＬＥＤ単位で補正する。
【００２９】
フレームメモリ１２は、第１輝度補正部１１から出力される映像信号を一時的に記憶する。
【００３０】
第２補正係数演算部２４は、第１輝度補正部１１にて補正される各ＬＥＤ１の輝度をさらに補正する第２補正係数を算出して設定する。第２補正係数演算部２４は、最大輝度算出部２４ａ、判定部２４ｂおよび第２補正係数設定部２４ｃを含む。
【００３１】
最大輝度算出部２４ａは、第１輝度補正部１１にて補正される各ＬＥＤ１の輝度のうち１画面Ａにおける最大輝度を１フレームごとに求める。
【００３２】
判定部２４ｂは、その最大輝度が所定値を超えるか否かを判定する。
【００３３】
第２補正係数設定部２４ｃは、判定部２４ｂの判定結果に基づき、最大輝度が所定値を超えないように補正する第２補正係数を１フレームごとに算出して設定する。
【００３４】
第２輝度補正部１３は、１画面Ａをなす各ＬＥＤ１の輝度を、第２補正係数を用いて１フレームごとに補正する。すなわち、第２輝度補正部１３は、画面全体を一括して輝度補正する。
【００３５】
映像信号分割転送部１５は、第２輝度補正部１３にて輝度が補正された映像信号を、グループごとに分割する。
【００３６】
映像データ出力部１６は、映像信号分割転送部１５にて分割された映像信号を各ＬＥＤ表示装置１００に出力する。本実施の形態１においては、３つの映像データ出力部１６ａ、１６ｂおよび１６ｃは、それぞれ、ＩＤ＝６、ＩＤ＝１８およびＩＤ＝３０が付された各ＬＥＤ表示装置１００の映像データ入力部２に接続され、映像信号を出力する。以下、各映像データ出力部１６から各ＬＥＤ表示装置１００に出力される輝度補正がなされた映像信号を映像データと称する。これら映像データ出力部１６は、例えば、映像信号を出力する出力端子である。
【００３７】
制御通信端子２０は、各ＬＥＤ表示装置１００との間で通信する信号または情報を入出力する。本実施の形態１においては、３つの制御通信端子２０ａ、２０ｂおよび２０ｃは、それぞれ、ＩＤ＝６、ＩＤ＝１８およびＩＤ＝３０が付された各ＬＥＤ表示装置１００の通信端子６に接続される。各制御通信端子２０は、各ＬＥＤ表示装置１００に制御信号を出力する。または、各制御通信端子２０は、各ＬＥＤ表示装置１００から複数の第１補正係数を入力する。
【００３８】
第２通信制御部２５は、各ＬＥＤ表示装置１００との通信または外部ＰＣとの通信を制御する。第２通信制御部２５は、各ＬＥＤ表示装置１００に制御信号を送信し、その制御信号に基づいて各ＬＥＤ表示装置１００の第１通信制御部７から送信される複数の第１補正係数を、各制御通信端子２０を介して受信する。また、第２通信制御部２５は、各ＬＥＤ表示装置１００から取得した各第１補正係数を第１補正係数記憶部２３に記憶させる。
【００３９】
外部制御端子１９は、外部ＰＣから制御装置２００を制御するための端子である。
【００４０】
第１補正係数記憶部２３、第２補正係数演算部２４および第２通信制御部２５は、制御回路１４を構成してもよい。
【００４１】
図５は制御装置２００が備える処理回路４０の一例を示す。処理回路４０は、互いが接続されたプロセッサー４１とメモリ４２とを含む。プロセッサー４１は、例えば、ＣＰＵである。メモリ４２は、例えば、ＲＡＭなどの一時記憶メモリまたはＨＤＤなどの不揮発性メモリを含む。プロセッサー４１は第２補正係数演算部２４および第２通信制御部２５の各機能を実現し、メモリ３２は第１補正係数記憶部２３の機能を実現する。
【００４２】
例えば、処理回路４０は、入力インターフェース４３から第１輝度補正部１１にて補正された映像信号を入力し、１画面Ａにおける最大輝度を１フレームごとに求める。処理回路４０は、その最大輝度が所定値を超える否かを判定する。処理回路４０は、判定結果に基づき、最大輝度が所定値を超えないように映像信号を補正するための第２補正係数を１フレームごとに算出して出力インターフェース４４に出力する。または、処理回路４０は、各ＬＥＤ表示装置１００から送信される複数の第１補正係数を入力インターフェース４３に入力し、メモリ４２に記憶させる。
【００４３】
第２補正係数演算部２４、第２通信制御部２５および第１補正係数記憶部２３の各機能はプログラムとして記述され、そのプログラムはメモリ４２に格納される。プロセッサー４１が、メモリ４２に格納されたそのプログラムを読み出して実行する。これにより、上述した第２補正係数演算部２４、第２通信制御部２５および第１補正係数記憶部２３の各機能が実現される。処理回路４０は、１つ以上の専用ハードウェアにより実現しても良いし、一部を専用ハードウェアで実現し、他の一部をソフトウェアにより実現しても良い。また、制御装置２００は、上記の各機能を実現する複数の処理回路を含んでもよい。
【００４４】
図２のＬＥＤ表示装置１００において、第１補正係数格納部８にはＬＥＤ表示部５が均一な輝度特性となるような画素毎の、すなわちＬＥＤ１ごとの第１補正係数があらかじめ格納されている。
【００４５】
各第１補正係数は、ＬＥＤ表示部５の各画素５０をフルビットで全点灯した状態で、ここでは図示しない測定器にて各画素５０の輝度を測定して得られる各画素５０の輝度値と、ＬＥＤ表示部５の各画素５０に対する共通の目標輝度とから決められている。すなわち、ある画素５０を構成するＲ、Ｇ、Ｂのそれぞれの測定輝度をＹｒｍ、Ｙｇｍ、Ｙｂｍ、それぞれの目標輝度をＹｒｔ、Ｙｇｔ、Ｙｂｔとすると、その画素５０の各第１補正係数Ｃｒｅ、Ｃｇｅ、Ｃｂｅは下記で示される。
【００４６】
【数１】
2018194693.tif 000003
【００４７】
式（１−１）によれば、第１補正係数Ｃｒｅは、目標輝度Ｙｒｔが測定輝度Ｙｒｍ以上の場合には１以上の値を有し、目標輝度Ｙｒｔが測定輝度Ｙｒｍ未満の場合には１未満の値を有する。式（１−２）および式（１−３）によって、それぞれ算出される第１補正係数Ｃｇｅ、第１補正係数Ｃｂｅも同様である。
【００４８】
第１補正係数格納部８には、上式により計算された、３２０×１８０画素を構成するすべてのＬＥＤ１に対する複数の第１補正係数が格納されている。
【００４９】
また、第１補正係数格納部８は、制御装置２００から第１通信制御部７および通信端子６を介して読み出し可能な状態で各第１補正係数を格納している。
【００５０】
図２の映像データ入力部２には、制御装置２００から出力される映像データが入力される。映像データ処理部３は、入力された映像データのうちＬＥＤ表示装置１００のＬＥＤ表示部５が表示する映像のみを切り出す。駆動部４は、切り出された映像データに基づきＬＥＤ表示部５を構成する各ＬＥＤ１を画素毎に駆動する。
【００５１】
本実施の形態１では、映像データ入力部２より入力される映像データは、Ｒ、Ｇ、Ｂのそれぞれが８ビットすなわち２５６階調の値を有する。すなわち映像データが含むＲデータ、Ｇデータ、Ｂデータのそれぞれが取り得る値の範囲は、何れも０〜２５５である。従って駆動部４は、Ｒデータが０のとき、ＲのＬＥＤ１の輝度が最小となるように、または、Ｒデータが２５５のとき、ＲのＬＥＤ１の輝度が最大になるように各ＬＥＤ１をドライブする。駆動部４は、Ｇデータ、Ｂデータについても同様に駆動する。
【００５２】
ＬＥＤ表示システムの起動時に、図４に示す第２通信制御部２５は、各制御通信端子２０を介して、各ＬＥＤ表示装置１００の第１補正係数格納部８に格納されている複数の第１補正係数を取得し、制御装置２００の第１補正係数記憶部２３に記憶させる。本実施の形態１においては、第２通信制御部２５は、３６ユニット全てのＬＥＤ表示装置１００に格納されている第１補正係数を取得し、第１補正係数記憶部２３に記憶させる。これにより第１補正係数記憶部２３には、１９２０×１０８０画素に対応する全ての第１補正係数が記憶される。
【００５３】
図６は、制御装置２００による輝度補正方法を示すフローチャートである。
【００５４】
ステップＳ１１にて、映像信号入力部１０に映像信号が入力される。本実施の形態１では、映像信号入力部１０が入力する映像信号は、Ｒ、Ｇ、Ｂのそれぞれの輝度データが、８ビットすなわち２５６階調の値を有する映像信号である。従って映像信号の輝度データＲ、輝度データＧ、輝度データＢのそれぞれがとり得る値の範囲は、何れも０〜２５５である。
【００５５】
ステップＳ１２にて、第１輝度補正部１１は、第１補正係数を用いて、入力された映像信号の輝度を１フレームごとに補正する。第１輝度補正部１１は、第１補正係数記憶部２３から各画素５０の位置に対応した各第１補正係数を読み出し、映像信号の輝度を補正する。
【００５６】
映像信号の水平ｘ番目、垂直ｙ番目の画素５０における輝度データＲ、輝度データＧ、輝度データＢをそれぞれＲｉ（ｘ，ｙ）、Ｇｉ（ｘ，ｙ）、Ｂｉ（ｘ，ｙ）、その画素５０におけるそれぞれの第１補正係数をＣｒｅ（ｘ，ｙ）、Ｃｇｅ（ｘ，ｙ）、Ｃｂｅ（ｘ，ｙ）とすると、その画素５０におけるそれぞれの補正済み輝度データＲｅ（ｘ，ｙ）、Ｇｅ（ｘ，ｙ）、Ｂｅ（ｘ，ｙ）は、次の式（２−１）、式（２−２）、式（２−３）により示される。
【００５７】
【数２】
2018194693.tif 000004
【００５８】
この結果、映像信号は画素毎にかつＬＥＤ１ごとに補正される。つまり、各ＬＥＤ１の輝度特性のばらつきが補正される。補正された映像信号は、第１輝度補正部１１からフレームメモリ１２に出力されて書き込まれるとともに、第１輝度補正部１１から第２補正係数演算部２４に出力される。
【００５９】
映像信号入力部１０に入力される映像信号の輝度データＲｉがとり得る最大の値は２５５である。上式によれば、補正された輝度データＲｅは、第１補正係数Ｃｒｅが１より大きい場合には２５５を超える可能性がある。そこで、制御装置２００は、第１輝度補正部１１にて補正された輝度データが２５５を超えないように、１フレーム毎に、第２補正係数を算出し、その第２補正係数にて映像信号をさらに補正する。
【００６０】
ステップＳ１３にて、第２補正係数演算部２４は、第２補正係数を演算する。図７は、第２補正係数演算部２４による第２補正係数の演算方法を示すフローチャートである。
【００６１】
ステップＳ２１にて、最大輝度算出部２４ａは、第２補正係数演算部２４に入力される映像信号の複数の輝度データＲのうち、１画面Ａの中の最大値Ｒｍａｘを抽出する。図７に記載のＭａｘ（）は最大値を返す関数を意味しており、例えば、Ｍａｘ（２００，１９０，２２０）である場合、出力される値は２２０である。輝度データＧおよび輝度データＢについても同様に最大値Ｇｍａｘおよび最大値Ｂｍａｘを抽出する。
【００６２】
ステップＳ２２で、最大輝度算出部２４ａは、最大値Ｒｍａｘ、最大値Ｇｍａｘ、最大値Ｂｍａｘのうち最も大きい値を最大値ＲＧＢｍａｘとして算出する。
【００６３】
ステップＳ２３で、判定部２４ｂは、最大値ＲＧＢｍａｘが、ＬＥＤ表示部５の各ＬＥＤ１が出力可能な輝度の最大値である２５５を超えているか否かを判断する。
【００６４】
最大値ＲＧＢｍａｘ＞２５５の場合は、ステップＳ２４にて、第２補正係数設定部２４ｃは、式（３）により第２補正係数Ｃａを決定する。
【００６５】
【数３】
2018194693.tif 000005
【００６６】
最大値ＲＧＢｍａｘ≦２５５の場合は、ステップＳ２５にて、第２補正係数設定部２４ｃは、式（４）により第２補正係数Ｃａを決定する。
【００６７】
【数４】
2018194693.tif 000006
【００６８】
以上のように、第２補正係数演算部２４は、第１輝度補正部１１にて補正された輝度データの中に２５５を超えるものがあるかを判断し、２５５を超えるものがある場合その最大値が２５５を超えないように、１フレーム毎に、第２補正係数を決定する。
【００６９】
図６に示すステップＳ１４にて、第２輝度補正部１３は、第２補正係数Ｃａを用いて映像信号の輝度を１フレームごとに補正する。まず、第２輝度補正部１３は、第２補正係数演算部２４で算出された第２補正係数Ｃａを入力する。ここで、第２補正係数演算部２４にて第２補正係数Ｃａを算出する間に、１フレーム分の時間遅延が発生する。このため、第２輝度補正部１３は、フレームメモリ１２から１フレーム分遅延した映像信号を読み出す。そして、第２輝度補正部１３は、１９２０×１０８０画素の全ての輝度データＲ、輝度データＧ、輝度データＢに、それぞれ第２補正係数Ｃａを乗ずることで１画面Ａの全体の輝度を補正する。すなわち第２補正係数Ｃａにより補正される補正済み輝度データＲａ（ｘ，ｙ）、Ｇａ（ｘ，ｙ）およびＢａ（ｘ，ｙ）は、それぞれ次の式（５−１）、式（５−２）および式（５−３）で示される。
【００７０】
【数５】
2018194693.tif 000007
【００７１】
このとき、１９２０×１０８０画素の全ての画素において、第１補正係数によって補正された補正済み輝度データＲｅ、Ｇｅ、Ｂｅの中に２５５を超えるものがある場合、全画素は同じ比率で２５５以下の補正済み輝度データＲａ、Ｇａ、Ｂａに変換される。その一方で、１９２０×１０８０画素の全ての全画素において、第１補正係数によって補正された補正済み輝度データＲｅ、Ｇｅ、Ｂｅの中に２５５を超えるものが無い場合は、全画素において、第２補正係数による補正済み輝度データＲａ、Ｇａ、Ｂａはそれぞれ第１補正係数による補正済み輝度データＲｅ、Ｇｅ、Ｂｅに等しくなる。
【００７２】
すなわち、第２輝度補正部１３は、１フレーム内の全画素間の輝度比率を保った状態で、映像信号に含まれる輝度データの最大値がＬＥＤ表示部５の入力許容値の最大値である２５５を超えないように輝度補正する。第２輝度補正部１３は、全体補正された補正済み輝度データＲａ、Ｇａ、Ｂａを、つまり、補正された映像信号を映像信号分割転送部１５に出力する。
【００７３】
ステップＳ１５にて、映像信号分割転送部１５は、補正済み輝度データＲａ、Ｇａ、Ｂａを含む映像信号を、それぞれ６４０ｘ１０８０画素の３つのエリアに分割する。そして、映像信号分割転送部１５は、映像データ出力部１６ａ、１６ｂ、１６ｃを介して、それぞれＩＤ＝１〜１２、１３〜２４、２５〜３６の３つのグループに属する各ＬＥＤ表示装置１００に映像信号を映像データとして配信する。
【００７４】
以上をまとめると、本実施の形態１における表示システムは、１画面Ａをなす１以上のＬＥＤ表示装置１００と、ＬＥＤ表示装置１００に映像データを出力する制御装置２００と、を備える。ＬＥＤ表示装置１００は、映像データを入力する映像データ入力部２と、複数のＬＥＤ１からなり、映像データ入力部２にて入力される映像データに基づく映像を表示するＬＥＤ表示部５と、を含む。制御装置２００は、映像信号を入力する映像信号入力部１０と、ＬＥＤ表示装置１００のＬＥＤ表示部５をなす複数のＬＥＤ１の各々の輝度特性に基づく複数の第１補正係数を記憶する第１補正係数記憶部２３と、を含む。複数の第１補正係数は、ＬＥＤ表示部５において、各ＬＥＤ１の輝度特性が均一化されるよう設定されている。制御装置２００は、映像信号入力部１０から入力される映像信号に基づく各ＬＥＤ１の輝度を、第１補正係数記憶部２３に記憶されている各第１補正係数を用いて１フレームごとに補正する第１輝度補正部１１と、第１輝度補正部１１にて補正される１画面Ａにおける最大輝度が、所定値を超えないように補正するための第２補正係数を１フレームごとに算出する第２補正係数演算部２４と、１画面Ａをなす各ＬＥＤ１の各輝度を、第２補正係数を用いて１フレームごとに補正する第２輝度補正部１３と、第２輝度補正部１３にて各ＬＥＤ１の輝度が補正される映像信号を、ＬＥＤ表示装置１００の映像データ入力部２に、映像データとして出力する映像データ出力部１６と、をさらに含む。
【００７５】
また、本実施の形態１において、１以上のＬＥＤ表示装置は、各々がマトリクス状に配列されて１画面をなす複数のＬＥＤ表示装置１００である。制御装置２００は、複数のＬＥＤ表示装置１００に映像データを出力する。
【００７６】
以上の構成を含むＬＥＤ表示システムによれば、ＬＥＤ表示部５を構成する各ＬＥＤ１の輝度特性のばらつきを補正する際、従来のように輝度が最も低いＬＥＤ１の輝度に目標輝度値を合わせる必要がない。目標輝度値がより高い輝度値に設定されたとしても、均一な輝度特性を有するＬＥＤ表示システムが得られる。これにより、ＬＥＤ表示システムは、画面全体を暗く調整ことなく、良好な均一画面を確保することを可能にする。
【００７７】
また、ＬＥＤ表示システムの制御装置２００の第２補正係数演算部２４は、第１輝度補正部１１にて補正される複数のＬＥＤ１の１画面Ａにおける最大輝度を１フレームごとに算出する最大輝度算出部２４ａと、最大輝度が所定値を超える否かを１フレームごとに判定する判定部２４ｂと、判定部２４ｂの判定結果に基づき、最大輝度と所定値とに基づく第２補正係数を１フレームごとに設定する第２補正係数設定部２４ｃとを含む。
【００７８】
以上の構成により、ＬＥＤ表示システムは、１フレーム内の全画素間の輝度比率を保った状態で、映像信号に含まれる輝度データの最大値がＬＥＤ表示部５の入力許容値の最大値を超えないように輝度補正することができる。
【００７９】
また、ＬＥＤ表示システムのＬＥＤ表示装置１００は、ＬＥＤ表示部５をなす複数のＬＥＤ１の各々が有する輝度特性が均一化されるよう設定される複数の第１補正係数を格納する第１補正係数格納部８と、制御装置２００と通信する第１通信制御部７とをさらに含む。制御装置２００は、ＬＥＤ表示装置１００の第１通信制御部７と通信する第２通信制御部２５をさらに含む。第１補正係数記憶部２３は、ＬＥＤ表示装置１００の第１通信制御部７から送信され第２通信制御部２５にて受信される複数の第１補正係数を記憶する。
【００８０】
このような構成により、ＬＥＤ表示システムの起動時に、制御装置２００は、自動的にＬＥＤ表示装置１００から複数の第１補正係数を読み出し、第１補正係数記憶部２３に記憶することが可能となる。よって、ＬＥＤ表示システムは、システムの構築作業を簡便化する。
【００８１】
また、本実施の形態１におけるＬＥＤ表示装置１００は、１画面Ａをなす１以上のＬＥＤ表示装置と制御装置とを含むＬＥＤ表示システムを構成する一のＬＥＤ表示装置であって、制御装置２００から出力される映像データを入力する映像データ入力部２と、複数のＬＥＤ１からなり、映像データ入力部２に入力される映像データに基づく映像を表示するＬＥＤ表示部５と、を備える。映像データ入力部２は、制御装置２００によって、ＬＥＤ表示部５をなす複数のＬＥＤ１の各々の輝度特性が均一化されるよう設定される複数の第１補正係数を用いて、制御装置２００に入力される映像信号に基づく複数のＬＥＤ１の輝度が１フレームごとに補正され、かつ、それら複数の第１補正係数を用いて補正された１画面Ａにおける複数のＬＥＤ１の最大輝度が所定値を超えないように映像信号に基づく複数のＬＥＤ１の輝度が１フレームごとにさらに補正されて出力される映像データを入力する。
【００８２】
以上の構成を含むＬＥＤ表示装置１００によれば、ＬＥＤ表示部５を構成するＬＥＤ１の輝度特性のばらつきを補正する際、従来のように輝度が最も低いＬＥＤ１の輝度に目標輝度値を合わせる必要がない。目標輝度値がより高い輝度値に設定されたとしても、ＬＥＤ表示装置１００と制御装置２００とは、均一な輝度特性を有するＬＥＤ表示システムの構築を可能にする。上記のＬＥＤ表示装置１００を含むＬＥＤ表示システムは、画面全体を暗く調整ことなく、良好な均一画面を確保することを可能にする。
【００８３】
また、ＬＥＤ表示装置１００は、ＬＥＤ表示部５をなす複数のＬＥＤ１の各々が有する輝度特性が均一化されるよう設定される複数の第１補正係数を格納する第１補正係数格納部８と、第１補正係数格納部８に格納されている複数の第１補正係数を制御装置２００に送信する第１通信制御部７と、をさらに備える。映像データ入力部２は、制御装置２００によって、ＬＥＤ表示装置１００の第１通信制御部７から送信される複数の第１補正係数を用いて、制御装置２００に入力される映像信号に基づく複数のＬＥＤ１の輝度が１フレームごとに補正され、かつ、それら複数の第１補正係数を用いて補正された１画面Ａにおける複数のＬＥＤ１の最大輝度が所定値を超えないように映像信号に基づく複数のＬＥＤ１の輝度が１フレームごとにさらに補正されて出力される映像データを入力する。
【００８４】
このような構成により、上記のＬＥＤ表示装置１００を含むＬＥＤ表示システムの起動時に、制御装置２００は、自動的にＬＥＤ表示装置１００から第１補正係数を読み出し、第１補正係数記憶部２３に記憶することが可能となる。よって、上記のＬＥＤ表示装置１００を含むＬＥＤ表示システムは、システムの構築作業を簡便化する。
【００８５】
＜実施の形態２＞
実施の形態２におけるＬＥＤ表示システムおよびＬＥＤ表示装置を説明する。なお、実施の形態１と同様の構成および動作については説明を省略する。
【００８６】
図８は、本実施の形態２におけるＬＥＤ表示装置１０１の構成を示す内部ブロック図である。ＬＥＤ表示装置１０１は、実施の形態１にて示したＬＥＤ表示装置１００に加えて、識別情報格納部９をさらに備える。
【００８７】
識別情報格納部９は、ＬＥＤ表示装置１０１を一意に識別可能な固有の第１識別情報を格納している。第１識別情報とは、例えばＬＥＤ表示装置１０１ごとに値の異なるシリアル番号などである。
【００８８】
第１通信制御部７は、後述する制御装置２０１から通信端子６を介して制御信号を受信する。第１通信制御部７は、その制御信号に基づいて、識別情報格納部９に格納されている第１識別情報、または、第１補正係数格納部８に格納されている複数の第１補正係数を、通信端子６を介して制御装置２０１に送信する。
【００８９】
ＬＥＤ表示装置１０１も、図３に示す処理回路３０を備える。プロセッサー３１は第１通信制御部７の機能を実現し、メモリ３２は第１補正係数格納部８および識別情報格納部９の機能を実現する。
【００９０】
例えば、処理回路３０は、制御装置２０１から送信された制御信号を入力インターフェース３３にて入力し、その制御信号に基づいて、メモリ３２に記憶されている第１識別情報または第１補正係数を出力インターフェース３４に出力する。入力インターフェース３３および出力インターフェース３４は、例えば上記の通信端子６である。
【００９１】
第１通信制御部７の機能はプログラムとして記述され、そのプログラムはメモリ３２に格納される。プロセッサー３１が、メモリ３２に格納されたそのプログラムを読み出して実行する。これにより、上述した第１通信制御部７、第１補正係数格納部８および識別情報格納部９の各機能が実現される。
【００９２】
図９は、本実施の形態２における制御装置２０１の構成を示すブロック図である。制御装置２０１は、実施の形態１にて示した制御装置２０１に加えて、識別情報記憶部２６および照合部２７を備える。
【００９３】
識別情報記憶部２６は、複数のＬＥＤ表示装置１０１の各々に関連付けられ各々を一意に識別可能な固有の複数の第２識別情報を記憶する。識別情報記憶部２６は、制御装置２０１が以前に各ＬＥＤ表示装置１０１から取得した第１識別情報を第２識別情報として記憶する。
【００９４】
第２通信制御部２５は、各ＬＥＤ表示装置１０１に制御信号を送信し、その制御信号に基づいて各ＬＥＤ表示装置１０１の第１通信制御部７から送信される第１識別情報または複数の第１補正係数を、各制御通信端子を介して受信する。また、第２通信制御部２５は、後述する照合部２７の照合結果に基づいて各ＬＥＤ表示装置１０１から送信されて取得した各第１補正係数を、第１補正係数記憶部２３に記憶させる、または、第１補正係数記憶部２３に予め記憶されていた各第１補正係数を更新する。
【００９５】
照合部２７は、第２通信制御部２５にて取得した各第１識別情報と、識別情報記憶部２６に記憶されている各第２識別情報とが一致するか否かを照合する。
【００９６】
第１補正係数記憶部２３、第２補正係数演算部２４、第２通信制御部、識別情報記憶部２６および照合部２７は、制御回路１４を構成してもよい。
【００９７】
制御装置２０１も、図５に示す処理回路４０を備える。プロセッサー４１は第２通信制御部２５および照合部２７の各機能を実現し、メモリ３２は第１補正係数記憶部２３および識別情報記憶部２６の各機能を実現する。
【００９８】
例えば、処理回路４０は、各ＬＥＤ表示装置１０１から送信された複数の第１識別情報を入力インターフェース４３にて入力し、かつ、メモリ４２に記憶されていた複数の第２識別情報と照合する。処理回路４０は、その照合結果に基づいて制御信号を出力インターフェース４４に出力する。
【００９９】
または、処理回路４０は、各ＬＥＤ表示装置１０１から送信された複数の第１補正係数を入力インターフェース４３にて入力し、メモリ４２に記憶させる、または、メモリ４２に予め記憶されていた各第１補正係数を更新する。
【０１００】
第２通信制御部２５および照合部２７の各機能はプログラムとして記述され、そのプログラムはメモリ４２に格納される。プロセッサー４１が、メモリ４２に格納されたそのプログラムを読み出して実行する。これにより、上述した第２通信制御部２５、照合部２７、第１補正係数記憶部２３および識別情報記憶部２６の各機能が実現される。また、制御装置２０１は、上記の各機能を実現する複数の処理回路を含んでもよい。
【０１０１】
次に、ＬＥＤ表示装置１０１が故障などにより交換された場合の制御装置２０１の動作について説明する。図１０は、制御装置２０１による第１補正係数の取得方法および更新方法を示すフローチャートである。
【０１０２】
ステップＳ３１にて、制御装置２０１の照合部２７は、識別情報記憶部２６から複数の第２識別情報を読み込む。この各第２識別情報は、制御装置２０１が、以前に各ＬＥＤ表示装置１０１の第１識別情報格納部から取得した各第１識別情報を、各第２識別情報として識別情報記憶部２６に記憶していたものである。
【０１０３】
ステップＳ３２にて、制御装置２０１の第２通信制御部２５は、各制御通信端子２０を介して、各ＬＥＤ表示装置１０１の識別情報格納部９に格納されている第１識別情報を取得する。例えば、第２通信制御部２５は、各制御通信端子２０を介して、制御信号を各ＬＥＤ表示装置１０１に送信する。一のＬＥＤ表示装置１０１の第１通信制御部７は、通信端子６を介して制御信号を受信し、その制御信号に基づいて、識別情報格納部９に格納されている第１識別情報を制御装置２０１に送信する。
【０１０４】
ステップＳ３３にて、照合部２７は、ステップＳ３１において識別情報記憶部２６から読み込んだ各第２識別情報と、ステップＳ３２において各ＬＥＤ表示装置１０１から取得した各第１識別情報とを照合する。
【０１０５】
第１識別情報および第２識別情報はＬＥＤ表示装置１０１毎に異なる内容であるため、ＬＥＤ表示装置１０１が交換された場合、交換後に識別情報格納部９から読み出された第１識別情報は、交換前に読み出して識別情報記憶部２６に記憶されていた第２識別情報とは内容が異なる。
【０１０６】
第１識別情報の内容が、第２識別情報の内容と異なる場合、すなわち、ステップＳ３３にてＮＯの場合、ステップＳ３４において、制御装置２０１の第２通信制御部２５は、ＬＥＤ表示装置１０１が交換されたと判断する。そして、第２通信制御部２５は、各ＬＥＤ表示装置１０１の第１補正係数格納部８から各第１補正係数を取得する。例えば、第２通信制御部２５は、各制御通信端子２０を介して、制御信号を各ＬＥＤ表示装置１０１に送信する。一のＬＥＤ表示装置１０１の第１通信制御部７は、通信端子６を介して制御信号を受信し、その制御信号に基づいて、第１補正係数格納部８に格納されている複数の第１補正係数を制御装置２０１に送信する。
【０１０７】
ステップＳ３５において、第２通信制御部２５は、ステップＳ３４にて取得した第１補正係数を、第１補正係数記憶部２３に記憶させて更新する。
【０１０８】
以上により、制御装置２０１による第１補正係数の取得もしくは更新方法は終了する。
【０１０９】
なお、ステップＳ３３において第１識別情報の内容が、第２識別情報の内容と同じ場合、すなわちステップＳ３３にてＹＥＳの場合、制御装置２０１による第１補正係数の取得もしくは更新方法はそのまま終了する。また、ステップＳ３２で取得された複数の第１識別情報は、次回の照合に用いるため、識別情報記憶部２６に複数の第２識別情報として記憶されてもよい。
【０１１０】
また、以上の制御装置２０１による第１補正係数の取得もしくは更新動作は、定期的に行われる。
【０１１１】
以上をまとめると、本実施の形態２におけるＬＥＤ表示システムのＬＥＤ表示装置１０１は、一意に識別可能な固有の第１識別情報を格納する識別情報格納部９をさらに含む。制御装置２０１は、ＬＥＤ表示装置１０１に関連付けられ一意に識別可能な固有の第２識別情報を記憶する識別情報記憶部２６と、ＬＥＤ表示装置１０１の第１通信制御部７から送信され第２通信制御部２５にて受信する第１識別情報と、識別情報記憶部２６に記憶されている第２識別情報とが一致するか否かを照合する照合部２７と、をさらに含む。第１補正係数記憶部２３は、照合部２７の照合結果に基づき、ＬＥＤ表示装置１０１の第１通信制御部７から送信され第２通信制御部２５にて受信する複数の第１補正係数を記憶する。
【０１１２】
このような構成により、制御装置２０１が定期的に各ＬＥＤ表示装置１０１の識別情報を監視することが可能となる。それにより、ＬＥＤ表示装置１０１が故障などにより交換された場合、制御装置２０１は、その交換されたことを自動的に検知して第１補正係数を更新する。ＬＥＤ表示システムは、システム保守作業を簡便化する。
【０１１３】
また、本実施の形態２におけるＬＥＤ表示装置１０１は、一意に識別可能な固有の識別情報を格納する識別情報格納部９、をさらに備える。第１通信制御部７は、識別情報格納部９に格納されている第１識別情報と制御装置２０１に記憶されている第２識別情報との照合結果に基づき、第１補正係数格納部８に格納されている複数の補正係数を制御装置２０１に送信する。
【０１１４】
このような構成により、ＬＥＤ表示装置１０１は、制御装置２０１にＬＥＤ表示装置１０１の識別情報を監視させることを可能にする。それにより、ＬＥＤ表示装置１０１が故障などにより交換された場合、制御装置２０１は、その交換されたことを自動的に検知して第１補正係数を更新する。ＬＥＤ表示装置と制御装置２０１とは、システム保守作業を簡便化する。
【０１１５】
上記実施の形態１においては、ＬＥＤ表示システムは、複数のＬＥＤ表示装置１００により構成され、実施の形態２においても、複数のＬＥＤ表示装置１０１により構成されているが、それぞれ１台のＬＥＤ表示装置で構成されても各実施の形態に記載した効果と同様の効果を奏する。また、上記の各実施の形態では入力される映像信号の輝度データＲ、輝度データＧ、輝度データＢは、それぞれ８ビットの値を有するが、他のビット数を有する構成でも同様の効果が得られる。
【０１１６】
なお、本発明は、その発明の範囲内において、各実施の形態を自由に組み合わせたり、各実施の形態を適宜、変形、省略したりすることが可能である。本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１１７】
１  ＬＥＤ、２  映像データ入力部、３  映像データ処理部、４  駆動部、５  ＬＥＤ表示部、６  通信端子部、７  第１通信制御部、８  第１補正係数格納部、９  識別情報格納部、１０  映像信号入力部、１１  第１輝度補正部、１２  フレームメモリ、１３  第２輝度補正部、１６  映像データ出力部、２０  制御通信端子、２３  第１補正係数記憶部、２４  第２補正係数演算部、２４ａ  最大輝度算出部、２４ｂ  判定部、２４ｃ  第２補正係数設定部、２５  第２通信制御部、２６  識別情報記憶部、２７  照合部、１００  ＬＥＤ表示装置、１０１  ＬＥＤ表示装置、２００  制御装置、２０１  制御装置、Ａ  １画面。
【図１】
2018194693.tif 000008
【図２】
2018194693.tif 000009
【図３】
2018194693.tif 000010
【図４】
2018194693.tif 000011
【図５】
2018194693.tif 000012
【図６】
2018194693.tif 000013
【図７】
2018194693.tif 000014
【図８】
2018194693.tif 000015
【図９】
2018194693.tif 000016
【図１０】
2018194693.tif 000017